(57)【要約】【課題】水密性および施工性の両方に優れる外壁用目地材および外壁の乾式目地構造を提供する。【解決手段】目地材４は、隣合う外壁材２，２間の目地３に介在させる目地材であって、水密性および弾力性を有する長尺形状単一の部材からなり、かつ頭部４Ｈと平板状の屈曲性脚部４Ｌとを備える。屈曲性脚部４Ｌは、頭部４Ｈに繋がる基端部および他の複数箇所に屈曲用溝部１７を有する。目地３への介在状態で、頭部４Ｈは両側縁が目地３の両側の内面３ａ，３ａにそれぞれ接し、屈曲性脚部４Ｌは、屈曲用溝部１７で屈曲した折り畳み状とされて目地３の両側３ａ，３ａの内面に押しつけ状態で介在する。目地材４は、熱膨張性耐火材であることが好ましい。【選択図】図１
2018053439.tif 000002
【特許請求の範囲】
【請求項１】
隣合う外壁材間の目地に介在させる目地材であって、水密性および弾力性を有する長尺形状単一の部材からなり、かつ頭部とこの頭部における裏面の幅方向中央から延びる平板状の屈曲性脚部とを備え、前記屈曲性脚部は、前記頭部に繋がる基端部および他の複数箇所に屈曲用溝部を有し、
前記目地への介在状態で、前記頭部は両側縁が前記目地の両側の内面にそれぞれ接し、前記屈曲性脚部は前記屈曲用溝部で屈曲した折り畳み状とされて前記目地の両側の内面に押しつけ状態で介在する、
ことを特徴とする外壁用目地材。
【請求項２】
請求項１に記載の外壁用目地材において、前記屈曲性脚部は、前記頭部に繋がる基端部の他に前記屈曲用溝部を４箇所以上に有し、前記頭部に繋がる基端部から先端部へ向かう２番目以降の前記各屈曲用溝部で屈曲して断面四角形に折り畳まれた形状とされて前記目地に両側の内面間に、これら内面に押しつけ状態に介在可能である外壁用目地材。
【請求項３】
隣合う外壁材間の目地に介在させる目地材であって、それぞれ水密性および弾力性を有する長尺形状であり前記目地の屋外側に位置させる屋外側目地材と、屋内側に位置させる屋内側目地材との２部材から構成され、
前記屋外側目地材は、頭部とこの頭部における裏面の幅方向中央から延びる平板状の屈曲性脚部とを備え、この屈曲性脚部は、前記頭部に繋がる基端部および中間部の２箇所に屈曲用溝部を有し、
前記屋内側目地材は折り畳まれた形状であり、
前記目地への介在状態で、
前記屋外側目地材の前記頭部は両側縁が前記目地の両側の内面にそれぞれ接し、前記屈曲性脚部における前記中間部の屈曲用溝部よりも前記頭部から遠い脚部先端側部分が前記目地の片方の内面に沿い、前記中間部の屈曲用溝部よりも前記頭部に近い脚部基端側部分が、前記目地の深さ方向に対して斜めとなり、
前記屋内側目地材は、前記屋外側目地材の前記脚部先端側部分とこの脚部先端側部分の配置側と反対側の前記目地の内面との間に押しつけ状態で介在する、
ことを特徴とする外壁用目地材。
【請求項４】
請求項３に記載の外壁用目地材であって、前記屋内側目地材は、屋内側面における目地幅方向の中間に溝部を有し、この溝部の両側の部分が互いに折り畳まれた形状である外壁用目地材。
【請求項５】
請求項１ないし請求項４のいずれか１項に記載の外壁用目地材において、水密性および弾力性を有する熱膨張性耐火材からなる外壁用目地材。
【請求項６】
請求項１ないし請求項４のいずれか１項に記載の外壁用目地材が、隣合う外壁材間の目地に介在した外壁の乾式目地構造。
【発明の詳細な説明】
【技術分野】
【０００１】
この発明は、金属系外壁材やその他の外壁材で構成される外壁に適用される外壁用目地材および外壁の乾式目地構造に関する。
【背景技術】
【０００２】
従来、外壁用目地材として、水密性や施工性を向上させるために、その断面形状が種々工夫されている。例えば、目地材芯部の両側に、目地深さ方向に複数のひれ状部が並ぶ形状とした目地材がある。また、外壁用目地材とは別に耐火材を設けたり、耐火機能を持たせた外壁用耐火目地材についても提案されている。
【０００３】
金属系外壁材の外壁では一般的に、図９に示すように、外壁材５１，５１間の縦目地５２は、基本的には湿式のシーリング５３を設け、その裏面に、耐火性能を向上させるためにセラミックファイバー材５４を設けている。外壁材５１は、胴縁となる金属性パイプからなる下地材５５にドリルビス５６で止め付けている。この他に、目地シール５８およびシーリングテープ５９を設けている。
【０００４】
セラミック系外壁材の外壁では、耐火性の確保のために、縦目地に熱膨張性耐火材を介在させた耐火目地構造が提案されている（例えば、特許文献１〜４）。これらの提案例において、水密性は、いずれも前記熱膨張性耐火材とは別に、シーリング材等を縦目地に設けて確保している。特許文献２では、シーリング材を用いずに、金属製または難燃性樹脂製の目地ジョイナーを前記熱膨張性耐火材と共に用いることについても提案されている。目地ジョイナーは、例えば横断面Ｈ形とし、その両フランジ部を外壁材の内外両面に沿わせる。
この他に、ゴムまたは樹脂製のガスケット本体内に熱膨張性耐火材を埋め込んだ耐火目地ガスケットが提案されている（例えば、特許文献５，６）。
【先行技術文献】
【特許文献】
【０００５】
【特許文献１】特開２０１５−０９８７７２号公報
【特許文献２】特開２００６−００９４２８号公報
【特許文献３】特開２０１５−０６１９７１号公報
【特許文献４】特開２００３−１４７８７０号公報
【特許文献５】特開２００４−３１６０８２号公報
【特許文献６】特許第５２８３４９０号公報
【発明の概要】
【発明が解決しようとする課題】
【０００６】
前記目地材芯部の両側に、目地深さ方向に複数のひれ状部が並ぶ形状とした乾式の目地材は、複数のひれ状部があるため、水密性において優れる。しかし、複数のひれ状部があるために目地内への挿入時の抵抗が大きく、施工性に問題がある。挿入時の抵抗が小さくなるように寸法設計すれば、挿入は容易になるが、水密性が低下することになる。
また、目地に耐火性を持たせる場合は、次のような問題がある。
【０００７】
図９の従来例では、水密性においてはシーリング材５３に頼り、耐火性能についてはセラミックファイバー材５４に頼る構造となり、施工時において、多数の工程が必要となる。また、シーリング材５３は屋外側から充填する作業となり、外壁材の施工後に目地処理作業を行うため、無足場化が困難である。
【０００８】
前記熱膨張性耐火材を介在させた耐火目地構造の各提案例は、耐火性については優れるが、水密性の確保のためにシーリング材等の水密材を用いるため、図９の例と同様に多数の工程が必要となり、また無足場化も困難である。前記金属製等の目地ジョイナーを用いる提案例では、熱膨張性耐火材を目地ジョイナーに保持させており、そのため、外壁材を順に隣接配置する際に目地ジョイナーを間に介在させるだけよく、外壁材の施工法によっては目地処理の施工性に優れる。しかし、１枚の外壁材を施工する都度、目地ジョイナーを介在させる作業が必要であり、複数枚の外壁材を先に施工しておいて、後に目地処理作業を行うことは困難である。外壁の施工の効率化のため、例えば複数枚の外壁材をユニット化し、躯体に纏めて設置した後に目地処理を行うことが提案されており、このような外壁の施工法を採る場合には使用しにくい。
【０００９】
この発明の目的は、水密性および施工性の両方に優れる外壁用目地材を提供することである。
この発明の他の目的は、さらに、部材点数を増やすことなく優れた耐火性能を確保することである。
この発明の他の目的は、水密性および施工性の両方に優れる外壁の乾式目地構造を提供することである。
【課題を解決するための手段】
【００１０】
この発明の第１の外壁用目地材は、
隣合う外壁材間の目地に介在させる目地材であって、水密性および弾力性を 有する長尺形状単一の部材からなり、かつ頭部とこの頭部における裏面の幅方向中央から延びる平板状の屈曲性脚部とを備え、前記屈曲性脚部は、前記頭部に繋がる基端部および他の複数箇所に屈曲用溝部を有し、
前記目地への介在状態で、前記頭部は両側縁が前記目地の両側の内面にそれぞれ接し、前記屈曲性脚部は前記屈曲用溝部で屈曲した折り畳み状で前記目地の両側の内面に押しつけ状態とされて介在する、ことを特徴とする。
【００１１】
この構成によると、目地への配置状態では、前記屈曲性脚部の折り畳み体および前記頭部がそれぞれ目地の内面に接して水密性を得る。頭部と屈曲性脚部の折り畳み体との複数箇所で目地の内面に接するため、優れた水密性が得られる。施工時は、前記屈曲性脚部が平面状に広がったままで、まず頭部を目地内に適切な深さまで挿入し、この後、一部が目地から出た状態となる脚部を折り畳みながら目地内に挿入する。このように折り畳みながら目地内に挿入すればよく、そのため、挿入完了状態で目地内面に強く圧し当たる状態となるように挿入する場合でも、比較的に弱い押し込み力で挿入することができ、施工性がよい。前記屈曲性脚部は、屈曲用溝部が設けられていて、ここで屈曲し易くなっているため、容易に折り畳み状態とすることができる。これらのため、水密性および施工性の両方に優れる外壁用目地材となる。
【００１２】
この構成の外壁用目地材において、前記屈曲性脚部は、前記頭部に繋がる基端部の他に前記屈曲用溝部を４箇所以上に有し、前記頭部に繋がる基端部から先端部へ向かう２番目以降の前記各屈曲用溝部で屈曲して断面四角形状に折り畳まれた形状とされて前記目地の両側の内面間に、これら内面に押しつけ状態に介在可能な構成としてもよい。
この構成の場合は、屈曲用溝部を４箇所以上に有するため、例えば断面四角形状に前記脚部を折り畳むことができ、この四角形状に折り畳まれた脚部は、対向する２辺で目地の内面に接し、残りの２辺で柔軟な弾力性を有することになって、目地への広い押しつけ面積を得ながら、優れた弾力性変形性も得られる。そのため、水密性および施工性がより優れたものとなる。
【００１３】
この発明の第２の外壁用目地材は、
隣合う外壁材間の目地に介在させる目地材であって、それぞれ水密性および弾力性を有し、前記目地の屋外側に位置させる屋外側目地材と、屋内側に位置させる屋内側目地材との２部材から構成され、
前記屋外側目地材は、頭部とこの頭部における裏面の幅方向中央から延びる平板状の屈曲性脚部とを備え、この屈曲性脚部は、前記頭部に繋がる基端部および中間部の２箇所に屈曲用溝部を有し、
前記屋内側目地材は折り畳まれた形状であり、
前記目地への介在状態で、
前記屋外側目地材の前記頭部は両側縁が前記目地の両側の内面にそれぞれ接し、前記屈曲性脚部における前記中間の屈曲用溝部よりも前記頭部から遠い脚部先端側部分が前記目地の片方の内面に沿い、前記中間部の屈曲用溝部よりも前記頭部に近い脚部基端側部分が、前記目地の深さ方向に対して斜めとなり、
前記屋内側目地材は、前記屋外側目地材の前記脚部先端側部分とこの脚部先端側部分の配置側と反対側の前記目地の内面との間に、これら脚部先端側部分と目地の内面とに押しつけ状態で介在する、ことを特徴とする。なお、この明細書において、「折り畳まれた形状」とは、折り畳んで形成したか否かを問わず、出来上がった形状として、部材を折り畳んだ結果としてできる形状と同様な形状であることをいう。
【００１４】
この構成の目地材は、施工に際しては、目地に屋内側から屋外側目地材を先に挿入し、その後に屋内側目地材を目地に挿入する。この目地材は、目地への挿入が上記のように２回に分けて行える。そのため、目地材の幅を広くして目地内面に目地材が強く押し当てられるように設計されていて一体では適正な挿入が困難な場合であっても、適正な挿入が容易に行える。また、屋内側目地材は自然状態で折り畳まれた形状であり、柔軟に弾力性変形し易い。そのため、目地内面への適正な押しつけを行いながら、目地への挿入が行い易い。
【００１５】
この構成の外壁用目地材において、前記屋内側目地材は、屋内側面における目地幅方向の中間に溝部を有し、この溝部の両側の部分が互いに折り畳まれた形状であってもよい。  この構成の場合、屋内側目地材が自然状態で中央の溝部で折り畳まれた形状であり、溝部の幅が変形代となる。そのため、屋内側目地材がより柔軟に弾力性変形し、目地内面への適正な押しつけを行いながら、目地への挿入がより行い易い。
【００１６】
この発明における前記各外壁用目地材は、水密性および弾力性を有する熱膨張性耐火材から形成されるものであってもよい。
熱膨張性耐火材は、火災等により高温となることで、その体積が著しく膨張する（例えば体積が数倍ないし数十倍になる）耐火材の総称である。この材質を外壁用目地材とすることで、水密性と耐火性との両方が得られる。
【００１７】
この発明の外壁の乾式目地構造は、この発明の上記いずれかの構成の外壁用目地材が、隣合う外壁材間の目地に介在した構造である。
この構成によると、水密性および施工性の両方に優れる乾式目地構造となる。
【発明の効果】
【００１８】
この発明の第１の外壁用目地材は、隣合う外壁材間の目地に介在させる目地材であって、水密性および弾力性を有する長尺形状単一の部材からなり、かつ頭部とこの頭部における裏面の幅方向中央から延びる平板状の屈曲性脚部とを備え、前記屈曲性脚部は、前記頭部に繋がる基端部および他の複数箇所に屈曲用溝部を有し、前記目地への介在状態で、前記頭部は両側縁が前記目地の両側の内面にそれぞれ接し、前記屈曲性脚部は前記屈曲用溝部で屈曲した折り畳み状とされて前記目地の両側の内面に押しつけ状態で介在するため、水密性および施工性の両方に優れる。
【００１９】
この発明の第２の外壁用目地材は、隣合う外壁材間の目地に介在させる目地材であって、それぞれ水密性および弾力性を有する長尺形状であり前記目地の屋外側に位置させる屋外側目地材と、屋内側に位置させる屋内側目地材との２部材から構成され、前記屋外側目地材は、頭部とこの頭部における裏面の幅方向中央から延びる平板状の屈曲性脚部とを備え、この屈曲性脚部は、前記頭部に繋がる基端部および中間部の２箇所に屈曲用溝部を有し、前記屋内側目地材は折り畳まれた形状であり、前記目地への介在状態で、前記屋外側目地材の前記頭部は両側縁が前記目地の両側の内面にそれぞれ接し、前記屈曲性脚部における前記中間部の屈曲用溝部よりも前記頭部から遠い脚部先端側部分が前記目地の片方の内面に沿い、前記頭部に近い脚部基端側部分が、前記目地の深さ方向に対して斜めとなり、前記屋内側目地材は、前記屋外側目地材の前記脚部先端側部分とこの脚部先端側部分の配置側と反対側の前記目地の内面との間に押しつけ状態で介在するため、水密性および施工性の両方に優れる。
【００２０】
これら第１および第２の外壁用目地材において、水密性および弾力性を有する熱膨張性耐火材からなる場合は、水密性と耐火性との両方が得られる。
【００２１】
この発明の外壁の乾式目地構造は、この発明の外壁用目地材が、隣合う外壁材間の目地に介在した構造であるため、水密性および施工性の両方に優れる乾式目地構造となる。
【図面の簡単な説明】
【００２２】
【図１】この発明の第１の実施形態に係る外壁の乾式目地構造を示す水平断面図である。
【図２】同乾式目地構造における自然状態の目地材と目地との寸法関係を示す水平断面図である。
【図３】同乾式目地構造における目地材の自然状態の断面図である。
【図４】同乾式目地構造を適用した外壁の一部を示す水平断面図である。
【図５】同外壁の施工過程を示す部分省略正面図である。
【図６】他の実施形態に係る外壁の乾式目地構造を示す水平断面図である。
【図７】同乾式目地構造における自然状態の目地材と目地との寸法関係を示す水平断面図である。
【図８】同乾式目地構造における目地材の各構成部材の断面図である。
【図９】従来の目地構造の水平断面図である。
【発明を実施するための形態】
【００２３】
この発明の第１の実施形態を図１ないし図５と共に説明する。この外壁の乾式目地構造は、外壁１の隣合う外壁材２，２間の縦目地となる目地３における乾式目地構造であって、目地３が、外壁材２の屋内側から目地材４を挿入可能な形状である。目地材４は、目地３の屋内側から挿入されて目地材４の持つ弾力性により目地３内の両側の内面３ａ，３ａに押しつけ状態で介在している。
【００２４】
目地材４について、具体的に説明する。目地材４は、水密性および弾力性を有する熱膨張性耐火材からなる長尺形状単一の部材であり、かつ頭部４Ｈとこの頭部４Ｈにおける裏面の幅方向中央から延びる平板状の屈曲性脚部４Ｌとを備える。屈曲性脚部４Ｌは、頭部４Ｈに繋がる基端部および他の複数箇所（図示の例では４箇所）に屈曲用溝部１７（１７１〜１７５）を有する。頭部４Ｈは、両側縁が縁部側に到るに従って薄肉となるひれ状に形成されている。
【００２５】
この目地材４は、自然状態では図３に示すように、屈曲性脚部４Ｌの屈曲用溝部１７で区分された最も頭部４Ｈに近い脚部分割体部４Ｌ１は、頭部４Ｈに対して、溝部１７１で屈曲して傾斜して延び、残りの脚部分割体部４Ｌ２〜４Ｌ５は、互いに平板状に繋がっていて、頭部４Ｈに近い脚部分割体部４Ｌ１から屈曲用溝部１７２で逆方向に傾斜して頭部に対して略垂直に延びている。
【００２６】
図１において、この実施形態の目地材４は、目地３への介在状態で、頭部４Ｈは両側縁が目地３の両側の内面３ａにそれぞれ接し、屈曲性脚部４Ｌは屈曲用溝部１７で屈曲した折り畳み状で目地３の両側の内面３ａに押しつけ状態で介在する。屈曲性脚部４Ｌの折り畳み形状は、この例では四角形状となる。
【００２７】
目地材４の材質は、前述のように水密性および弾力性を有する熱膨張性耐火材である。熱膨張性耐火材は、火災等により高温となることで、その体積が著しく膨張する（例えば体積が数倍ないし数十倍になる）耐火材の総称である。熱膨張性耐火材としては、例えば、エポキシ樹脂、ＥＰＤＭゴム、シリコーンゴム、ブチルゴム、熱硬化性発泡樹脂等の樹脂成分と、熱膨張性黒鉛、リン化合物、無機充填材等を配合した熱膨張性樹脂組成物を成形した熱膨張性耐火成形体等を用いることができる。このような樹脂成分を有し成形された熱膨張性耐火材は、その樹脂成分のため、水密性および弾力性を有するものとなる。配合により、熱膨張性耐火材における水密性および弾力性をある程度高めることができ、そのような水密性および弾力性を高めた熱膨張性耐火材が、目地材４の材質として好ましい。
なお、熱膨張性耐火材は、市販品として、テープ状に成形したものであれば、例えば、積水化学工業社製のフィブロック（登録商標、エポキシ樹脂やゴムと、熱膨張性黒鉛等を含有する樹脂組成物を含むシート材料）や、住友スリーエム社製のファイヤーバリア（クロロプレンゴムとバーキュライトを含有する樹脂組成物からなるシート材料等）がある。前記フィブロックを用いた目地材の組成は、例えば次の組成とされる。数値の単位は部数（％）である。ＥＰＤＭ：37.1、熱膨張性黒鉛：7.6、無機系充填剤：55.3
【００２８】
この構成の目地材４によると、目地３への配置状態では、屈曲性脚部４Ｌの折り畳み体および頭部４Ｈがそれぞれ目地３の内面３ａに接して水密性を得る。頭部４Ｈと屈曲性脚部４Ｌの折り畳み体との複数箇所で目地３の内面３ａに接するため、優れた水密性が得られる。
施工時は、屈曲性脚部４Ｌが平面状に広がったままで、まず頭部４Ｈを目地３内に適切な深さまで挿入し、この後、一部が目地３から出た状態となる屈曲性脚部４Ｌを折り畳みながら目地３内に挿入する。このように折り畳みながら目地３内に押し込めばよく、そのため、挿入完了状態では目地３の内面３ａに強く圧し当たる状態となる場合でも、比較的に弱い押し込み力で挿入することができ、施工性が良い。屈曲性脚部４Ｌは、屈曲用溝部１７が設けられていて、ここで屈曲し易くなっているため、容易に折り畳み状態とすることができる。これらのため、水密性および施工性の両方に優れた乾式目地構造を構成できる。
【００２９】
また、この実施形態では、目地材４の屈曲性脚部４Ｌは、頭部４Ｈに繋がる基端部の他に屈曲用溝部１７を４箇所に有し、頭部４Ｈに繋がる基端部から先端部へ向かう２番目以降の各屈曲用溝部１７２〜１７５で屈曲して断面四角形に折り畳まれた形状とされる。この四角形の状態で目地３の両側の内面３ａに押しつけ状態に介在する。この場合に、四角形状に折り畳まれた屈曲性脚部４Ｌは、対向する２辺で目地３の内面３ａに面接触となって接し、残りの２辺で柔軟な弾力性を有することになる。そのため、目地３の内面３ａへの広い押しつけ面積を得ながら、優れた弾力性変形性も得られる。これにより、水密性および施工性がより優れたものとなる。このように、熱膨張性耐火材からなる目地材４で優れた耐火機能を得ながら、水密性、弾力性が得られて施工性にも優れたものとなる。
【００３０】
次に、外壁１およびその目地構造につき説明する。図１において、外壁材２は、外殻となる金属板５を有する外壁パネルであり、内部に不燃断熱材６が充填されている。この種の外壁材２は、金属サンドイッチパネルとも呼ばれる。金属板５には鋼板等が用いられる。不燃断熱材６は、ロックウール等の非定形の材料であるが、けい酸カルシウムや石膏ボード等であってもよい。不燃断熱材６の小口面は、石膏ボード等の定形の不燃断熱材からなる小口覆い部材７で覆っている。
【００３１】
金属板５は、屋外面を構成する屋外金属板部５ａと、屋内面を構成する屋内側金属板部５ｂとを有し、外壁材２の両側縁において、屋外金属板部５ａから、目地３内に折れ曲がって延びる目地内金属板部５ｃが設けられている。目地内金属板部５ｃは、目地３の屋外側開口縁から目地の深さ方向の中間までとされて、屋外金属板部５ａと屋内側金属板部５ｂとは連続しておらず、これら屋内外の金属板部５ａ，５ｂの熱橋を回避している。このため、目地３の内面３ａは、目地内金属板部５ｃの先端から屋外側開口縁までの範囲が目地内金属板部５ｃの表面である金属面部３ａａとなり、目地内金属板部５ｃの先端から屋内側開口縁までの範囲が小口覆い部材７の表面である非金属面部３ａｂとなっている。目地内金属板部５ｃの先端には、目地３の幅方向の中央側へ立ち上がる突出縁５ｃａが、折り曲げによって長手方向に沿い設けられている。突出縁５ｃａは、その先端で折り返された２重であってもよい。
【００３２】
この構成の乾式目地構造によると、目地材４が水密性および弾力性を有する長尺形状の熱膨張性耐火材からなるため、一つの目地材４を目地３に挿入するだけで、目地３の水密性と耐火性を得ることができる。そのため、少ない部材点数で耐火性および水密性が得られて、施工の工程が少なくて済む。また、目地３は、外壁材２の屋内側から目地材４を挿入可能な形状であるため、外壁材２の躯体１１（図５）への取付後に、屋内側から施工でき、目地施工の無足場化が可能となる。
また、熱膨張性耐火材は、火災時にはその熱で大きく膨張するため、このような熱膨張性耐火材からなる目地材４が用いられていることで、火災時に目地３を密に隙間なく塞ぎ、一般の耐火材に比べて目地３における耐火性能が優れたものとなる。
【００３３】
熱膨張性耐火材からなる目地材４は、耐火性および熱膨張性を与える必要から、材料が限られ、水密性確保専用のガスケットに比べると、接触面での水密性が低い。そのため、外壁材２がセラミック系の材料で構成されていて目地内面３ａもそのセラミック系の材料が露出している場合は、目地内面３ａの表面が粗いため、熱膨張性耐火材からなる目地材４が押しつけ状態に接していても、水密性を十分に確保できない場合がある。このため、従来、セラミック系外壁材を用いた外壁の目地では、熱膨張性耐火材とは別に、シーリング材や水密性確保専用のガスケットと併用している。
【００３４】
しかし、この実施形態では、目地３の内面３ａの屋外側部分が、目地内金属板部５ｃの表面である金属面部３ａａとなり、この金属面部３ａａに目地材４の頭部４Ｈの両側縁が押しつけ状態に接している。金属面部３ａａは、その表面粗さが小さく、熱膨張性耐火材からなる目地材４であっても、水密性を十分に確保することが可能である。屈曲性脚部４Ｌの折り畳み体は非金属面部３ａｂに接しているが、頭部４Ｈの両側縁が金属面部３ａａに接するため、目地３の水密性が確保できる。
また、この実施形態では、外壁材２が、２枚の金属板部５ａ，５ｂの間にロックウール等の不燃性断熱材を挟み込んだ金属サンドイッチパネルとされていて、軽量で断熱性に優れる。このような外殻が金属板５からなる外壁材２を用いた外壁１において、この水密性および弾力性を有する熱膨張性耐火材からなる目地材４を介在させる目地構造とすることで、一つの目地材４を挿入するだけで水密性および耐火性の両方を確保できる外壁１となる。
【００３５】
上記のような金属サンドイッチパネルからなる外壁材２の躯体１１への設置については、図５と共に前述したように、複数枚の外壁材２をユニット化して設置することで施工性を高めることが提案されており、その場合、目地処理作業は外壁材２の設置後の作業となる。また、上記ユニット化した外壁材２の設置について、無足場化が提案されており、その場合、目地処理だけに足場を組むのでは無駄が多く、無足場化が要求される。この実施形態の外壁の乾式目地構造によると、屋内側から目地材４を挿入するだけで目地施工が行えるため、このような無足場化の要求に応じることができる。
【００３６】
図６〜図８は他の実施形態を示す。この実施形態では、目地材４が、目地３内の屋外側に位置する屋外側目地材４Ｃと屋内側に位置する屋内側目地材４Ｄとで構成され、これら屋外側目地材４Ｃおよび屋内側目地材４Ｄは、いずれも、水密性および弾力性を有する長尺形状の熱膨張性耐火材である。
図８（Ａ），（Ｂ）はそれぞれ屋外側目地材４Ｃおよび屋内側目地材４Ｄに外力が作用しない自然状態を示す。同図に示すように、屋外側目地材４Ｃは、頭部４Ｃａとこの頭部４Ｃａにおける裏面の幅方向中央から延びる平板状の屈曲性脚部４Ｃｂとを備える。この屈曲性脚部４Ｃｂは、頭部４Ｃａに繋がる基端部および中間部の２箇所に屈曲用溝部１５１，１５２を有する。頭部４Ｃａは、両側縁が縁部側に到るに従って薄肉となるひれ状に形成され、また自然状態において屈曲用溝部１５１で屈曲して屈曲性脚部４Ｃｂに対し傾斜している。屋内側目地材４Ｄは、幅方向の中央に溝部１６を有し、自然状態で、溝部１６の両側部分が互いに２つ折りに折り畳まれた形状である。
なお、屋内側目地材４Ｄは、２つ折りに限らず、３つ折りに折り畳まれた形状であっても、また四角形に折り畳まれた形状であっても良い。
【００３７】
図６に示すように、この実施形態の目地材４は、目地３への介在状態で、屋外側目地材４Ｃの頭部４Ｃａが、両側縁が目地３の両側の内面３ａ，３ａにそれぞれ接する。屈曲性脚部４Ｃｂにおける中間部の屈曲用溝部１５２よりも頭部４Ｃａから遠い脚部先端側部分４Ｃｂｂは、目地３の片方の内面に沿う。中間部の屈曲用溝部１５２よりも頭部４Ｃａに近い脚部基端側部分４Ｃｂａは、目地３の深さ方向に対して斜めとなる。
屋内側目地材４Ｄは、屋外側目地材４Ｃの脚部先端側部分４Ｃｂｂとこの脚部先端側部分４Ｃｂｂの配置側とは反対側の目地３の内面３ａとの間に押しつけ状態で介在する。
屋外側目地材４Ｃおよび屋内側目地材４Ｄの幅寸法は、自然状態では、図７に示すように、いずれも目地３の幅Ｂ，Ｂ′よりも若干広く形成されている。
【００３８】
この実施形態の目地材４は、施工に際しては、目地３に屋内側から屋外側目地材４Ｃを先に挿入し、その後に屋内側目地材４Ｄを目地３に挿入する。この目地材４は、目地３への挿入が上記のように２回に分けて行える。そのため、目地材４の幅を広くして目地内面３に目地材４が強く押し当てられるようにされていて一体では適正な挿入が困難な場合であっても、適正な挿入が容易に行える。また、屋内側目地材４Ｄは自然状態で中央の溝部１６で折り畳まれた形状であり、溝部１６の幅が変形代となる。そのため、屋内側目地材４Ｄが柔軟に弾力性変形し、目地内面３ａへの適切な押しつけを行いながら、目地３への挿入が行い易い。
【００３９】
なお、上記各実施形態では、目地材４は、いずれも水密性および弾力性を有する熱膨張性耐火材としたが、目地材４は、水密性および弾力性を有していれば良く、必ずしも熱膨張性耐火材でなくてもよい。
【００４０】
以上、実施例に基づいて本発明を実施するための形態を説明したが、ここで開示した実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【符号の説明】
【００４１】
１…外壁
２…外壁材
３…目地
３ａ…内面
３ａａ…金属面部
３ａｂ…非金属面部
４…目地材
４Ｃ…屋外側目地材
４Ｄ…屋内側目地材
４Ｃａ…頭部
４Ｃｂ…屈曲性脚部
４Ｈ…頭部
４Ｌ…屈曲性脚部
５…金属板
５ａ…屋外金属板部
５ｂ…屋内側金属板部
５ｃ…目地内金属板部
５ｃａ…突出縁
６…不燃断熱材
７…小口覆い部材
１０…胴縁
１１…躯体
１５（１５１，１５２）…屈曲用溝部
１７（１７１〜１７５）…屈曲用溝部
Ａ…幅
Ｂ，Ｂ′…幅
【図１】
2018053439.tif 000003
【図２】
2018053439.tif 000004
【図３】
2018053439.tif 000005
【図４】
2018053439.tif 000006
【図５】
2018053439.tif 000007
【図６】
2018053439.tif 000008
【図７】
2018053439.tif 000009
【図８】
2018053439.tif 000010
【図９】
2018053439.tif 000011